(57)【要約】【課題】ソフトウエアのバージョンアップ作業及びハードウエアの交換作業が容易な電子機器を提供する。【解決手段】読込部３は、読込元設定部６により設定された読込元から設定情報を読み込み、同期制御部５は、読込元設定部６により読込元として設定されていない第１記憶媒体１又は第２記憶媒体２にこの設定情報を書込部４に書き込ませることで設定情報の同期をとる。【選択図】図１
2009129314.tif 000002
【特許請求の範囲】
【請求項１】
あらかじめ設定された設定情報を読み込み、該設定情報に基づいて動作する電子機器において、
設定情報を記憶する第１記憶手段と、
設定情報を記憶する、前記電子機器に対して脱着自在な第２記憶手段と、
前記第１記憶手段と前記第２記憶手段のどちらか一方を設定情報の読込元として設定する読込元設定手段と、
前記第１記憶手段の設定情報と前記第２記憶手段の設定情報の少なくとも一部の同期をとる同期手段と
を備えたことを特徴とする電子機器。
【請求項２】
前記同期手段が、前記第１記憶手段又は前記第２記憶手段から設定情報が読み込まれた場合に設定情報の同期をとることを特徴とする請求項１に記載の電子機器。
【請求項３】
ユーザーの入力を検知する入力検知手段を備え、
前記同期手段が、前記入力検知手段によりユーザーの入力が検知された場合に設定情報の同期をとることを特徴とする請求項１に記載の電子機器。
【請求項４】
前記同期手段が、前記読込元設定手段により読込元として設定されていない前記第１記憶手段又は前記第２記憶手段に記憶された設定情報を読み込まれた設定情報で上書きすることで設定情報の同期をとることを特徴とする請求項１〜３のいずれかに記載の電子機器。
【請求項５】
前記同期手段による設定情報の同期を抑制する同期抑制手段を備えることを特徴とする請求項１〜４のいずれかに記載の電子機器。
【請求項６】
前記同期手段が、所定条件を満たした場合に、前記同期抑制手段による同期の抑制を解除することを特徴とする請求項５に記載の電子機器。
【請求項７】
前記所定条件が、複数の条件の組み合わせからなることを特徴とする請求項６に記載の電子機器。
【発明の詳細な説明】
【技術分野】
【０００１】
本発明は、機器の動作を制御するソフトウエアが内部に組み込まれた電子機器に関する。
【背景技術】
【０００２】
従来より、電子機器では、機器の動作を制御するソフトウエアを内部に組み込んだ構成が多く採用されている。
【特許文献１】特開２００１−３１７０８８号公報
【発明の開示】
【発明が解決しようとする課題】
【０００３】
このような電子機器（組み込み機器）において、機器に設定された設定情報をそのまま引き継ぐかたちで、ソフトウエアのバージョンアップや機器のハードウエアの交換を行う場合には、パーソナルコンピューター（以降、ＰＣと略記）を経由して、ハードウエアに格納された設定情報をファイル形式でバックアップし、新しいバージョンのソフトウエアや新しいハードウエアに対してそのファイルをリストアする必要がある。このため、ＰＣ操作やファイル操作に不慣れなユーザーにとっては上記の作業を行うことが容易でない。
【０００４】
本発明は、上記の事情に鑑みてなされたものであり、その目的とするところは、ソフトウエアのバージョンアップ及びハードウエアの交換が容易な電子機器を提供することにある。
【課題を解決するための手段】
【０００５】
本発明に係る電子機器は、上記の課題を解決するために、あらかじめ設定された設定情報を読み込み、この設定情報に基づいて動作する電子機器において、設定情報を記憶する第１記憶手段と、設定情報を記憶する、電子機器に対して脱着自在な第２記憶手段と、第１記憶手段と第２記憶手段のどちらか一方を設定情報の読込元として設定する読込元設定手段と、第１記憶手段の設定情報と第２記憶手段の設定情報の少なくとも一部の同期をとる同期手段とを備えたことを特徴とする。
【発明の効果】
【０００６】
本発明に係る電子機器によれば、ユーザーは、設定情報を直接的に操作することなく、設定情報をそのまま引き継ぐかたちで、ソフトウエアのバージョンアップ及びハードウエアの交換を容易に行うことができる。
【発明を実施するための最良の形態】
【０００７】
以下、本発明の第１乃至第５実施形態となる電子機器の構成について図面を参照しながら説明する。
【０００８】
［第１実施形態］
まず、本発明の第１実施形態となる電子機器の構成について図１を参照しながら説明する。
【０００９】
本発明の第１実施形態となる電子機器は、図１に示すように、第１記憶媒体１と、第２記憶媒体２と、読込部３と、書込部４と、同期制御部５と、読込元設定部６とで構成されている。
【００１０】
第１記憶媒体１は、電子機器のハードウエアに固定された不揮発性の記憶媒体であって、電子機器の動作を制御するソフトウエア及びその処理時に使用する各種の設定情報を記憶する。この第１記憶媒体１としては、たとえば、フラッシュメモリーやＳＲＡＭ（Static Random Access Memory）などの半導体メモリーが用いられる。なお、第１記憶媒体１は、電子機器のハードウエアに対して脱着可能なものであってもよい。
【００１１】
第２記憶媒体２は、電子機器のハードウエアに対して脱着自在な不揮発性の記憶媒体であって、ソフトウエアの処理時に使用する各種の設定情報を記憶する。この第２記憶媒体２としては、たとえば、ＣＦカードやＳＤメモリーカードなどのフラッシュメモリー型メモリーカードが用いられる。
【００１２】
読込部３は、第１記憶媒体１及び第２記憶媒体２と接続され、第１記憶媒体１又は第２記憶媒体２のどちらか一方から設定情報を読み込み、読み込んだ設定情報をソフトウエアの処理に反映させる。すなわち、電子機器は、この読込部３により読み込まれた設定情報に基づいてソフトウエアによって動作が制御されることとなる。
【００１３】
書込部４は、第１記憶媒体１、第２記憶媒体２、及び読込部３と接続され、第１記憶媒体１又は第２記憶媒体２に設定情報を書き込む。この際、書込部４は、第１記憶媒体１及び第２記憶媒体２に別の設定情報が記憶されていても構わずにその設定情報を上書きする。
【００１４】
同期制御部５は、読込部３及び書込部４と接続され、第１記憶媒体１の設定情報と第２記憶媒体２の記憶情報の同期を制御する。すなわち、なんらかの設定変更があった場合には、その内容は、第１記憶媒体１の記憶情報に対して反映されるとともに、第２記憶媒体２の記憶情報に対しても反映される。
【００１５】
読込元設定部６は、同期制御部５と接続され、第１記憶媒体１又は第２記憶媒体２のどちらか一方を設定情報の読込元として設定する。この読込元設定部６としては、たとえば、ディップスイッチやジャンパなどのスイッチが用いられる。すなわち、ユーザーは、読込元設定部６のオン・オフを切り替えることで設定情報の読込元を選択することが可能である。本実施形態では、読込元設定部６がオフの場合に設定情報の読込元として第１記憶媒体１が設定され、読込元設定部６がオンの場合に設定情報の読込元として第２記憶媒体２が設定される。
【００１６】
なお、電子機器の記憶媒体は、上述のとおり、第１記憶媒体１及び第２記憶媒体２の２つで構成されているが、この構成に限らず、記憶媒体をさらに増やしてもよい。この場合、電子機器は、さまざまな設定情報で起動することが可能となる。このことは、後述する実施形態においても同様である。
【００１７】
つぎに、上記の電子機器における設定情報の同期処理について図２をもちいて説明する。
【００１８】
図２は、第１実施形態における、設定情報の同期処理の流れを示すフローチャートである。
【００１９】
設定情報の同期処理は、電子機器の電源がオフからオンに切り替えられたタイミングで開始となり、ステップＳ１０１に進む。
【００２０】
ステップＳ１０１では、同期制御部５が、ユーザーによって選択された読込元設定部６の状態を取得し、同期処理は、ステップＳ１０２に進む。
【００２１】
ステップＳ１０２では、同期制御部５が、取得した読込元設定部６の状態を判断し、読込元設定部６がオフの場合には、同期処理は、ステップＳ１０３に進み、読込元設定部６がオンの場合には、同期処理は、ステップＳ１０５に進む。
【００２２】
ステップＳ１０３では、読込部３が、同期制御部５の指示によって第１記憶媒体１から設定情報を読み込み、同期処理は、ステップＳ１０４に進む。
【００２３】
ステップＳ１０４では、書込部４が、読込部３により読み込まれた設定情報を同期制御部５の指示によって第２記憶媒体２に書き込み、一連の同期処理は終了する。
【００２４】
一方、ステップＳ１０５では、読込部３が、同期制御部５の指示によって第２記憶媒体２から設定情報を読み込み、同期処理は、ステップＳ１０６に進む。
【００２５】
ステップＳ１０６では、書込部４が、読込部３により読み込まれた設定情報を同期制御部５の指示によって第１記憶媒体１に書き込み、一連の同期処理は終了する。
【００２６】
なお、同期処理の終了後には、読込元設定部６の設定は、運用上都合のよいほうに切り替えることが可能である。たとえば、第１記憶媒体１から設定情報を読み込むほうが電子機器を高速に起動可能な場合には、ユーザーは、読込元設定部６をオフに切り替えておくことによって次回起動時から電子機器を高速に起動することが可能である。
【００２７】
以上の説明から明らかなように、本発明の第１実施形態によれば、同期制御部５が、読込元設定部６により設定された読込元から設定情報を読込部３に読み込ませ、読込元設定部６により読込元として設定されていない第１記憶媒体１又は第２記憶媒体２にこの設定情報を書込部４に書き込ませることで設定情報の同期をとるので、ユーザーは、読込元設定部６において設定情報の読込元を選択することで第１記憶媒体１と第２記憶媒体２の間で設定情報を移動させることができる。したがって、ユーザーは、設定情報を直接的に操作することなく、設定情報をそのまま引き継ぐかたちで、ソフトウエアのバージョンアップ及びハードウエアの交換を容易に行うことができ、作業後の運用へとスムーズに移行することができる。
【００２８】
また、本発明の第１実施形態によれば、同期制御部５が、読込部３により設定情報が読み込まれた場合に設定情報の同期をとるので、ユーザーは、設定情報の同期を自動的に行うことができ、設定情報の不整合をすぐに修正することができる。
【００２９】
さらに、本発明の第１実施形態によれば、同期制御部５が、読込元設定部６により読込元として設定されていない第１記憶媒体１又は第２記憶媒体２の設定情報を読込部３により読み込まれた設定情報で書込部４に上書きさせることで設定情報の同期をとるので、ユーザーは、読込元設定部６により読込元として設定されていない第１記憶媒体１又は第２記憶媒体２の設定情報を設定情報の同期とともに消去することができ、作業を簡略化することができる。
【００３０】
［第２実施形態］
つづいて、本発明の第２実施形態となる電子機器の構成について図３を参照しながら説明する。
【００３１】
本発明の第２実施形態となる電子機器は、図３に示すように、前述した第１実施形態における、電子機器の構成要素に加えて、入力検知部７を備えている。入力検知部７は、同期制御部５と接続され、設定情報の同期をとるタイミングを示すユーザーからの入力を検知し、トリガー信号として出力する。この入力検知部７としては、たとえば、ボタン型スイッチや、ディップスイッチ、ジャンパ、ＧＵＩ（Graphical User Interface）、ＣＬＩ（Command Line user Interface）などのユーザーインターフェースが用いられる。すなわち、ユーザーは、入力検知部７において所定の操作を行うことで設定情報の同期をとるタイミングを指示することが可能である。
【００３２】
つぎに、上記の電子機器における設定情報の同期処理について図４をもちいて説明する。
【００３３】
図４は、第２実施形態における、設定情報の同期処理の流れを示すフローチャートである。
【００３４】
設定情報の同期処理は、電子機器の電源がオフからオンに切り替えられたタイミングで開始となり、ステップＳ２０１に進む。
【００３５】
ステップＳ２０１では、同期制御部５が、ユーザーによって選択された読込元設定部６の状態を取得し、同期処理は、ステップＳ２０２に進む。
【００３６】
ステップＳ２０２では、同期制御部５が、取得した読込元設定部６の状態を判断し、読込元設定部６がオフの場合には、同期処理は、ステップＳ２０３に進み、読込元設定部６がオンの場合には、同期処理は、ステップＳ２０４に進む。
【００３７】
ステップＳ２０３では、読込部３が、同期制御部５の指示によって第１記憶媒体１から設定情報を読み込み、同期処理は、ステップＳ２０５に進む。なお、ステップＳ２０３の処理ののち、電子機器は、読込部３により読み込まれた設定情報に基づいて起動する。
【００３８】
一方、ステップＳ２０４では、読込部３が、同期制御部５の指示によって第２記憶媒体２から設定情報を読み込み、同期処理は、ステップＳ２０５に進む。なお、ステップＳ２０４の処理ののち、電子機器は、読込部３により読み込まれた設定情報に基づいて起動する。
【００３９】
ステップＳ２０５では、同期制御部５が、ユーザーからの入力を検出した場合に入力検知部７により出力されるトリガー信号の入力があるかを判断し、同期処理は、トリガー信号の入力があったタイミングでステップＳ２０６に進む。ステップＳ２０６以後の処理は、前述した第１実施形態における同期処理と同様であるので説明を省略する。
【００４０】
なお、設定情報の同期処理は、上記の処理のほか、起動時に読み込んだ設定情報及び読込元を記憶しておき、この設定情報及び読込元に基づいて第１記憶媒体１又は第２記憶媒体２に設定情報を書き込むようにしてもよい。この場合には、図４における、ステップＳ２０７、ステップＳ２０８、及びステップＳ２１０の処理は省略される。
【００４１】
以上の説明から明らかなように、本発明の第２実施形態によれば、前述した第１実施形態に加え、同期制御部５が、入力検知部７によるトリガー信号の入力があったタイミングで設定情報の同期をとるので、ユーザーは、作業上都合のよいタイミングで（たとえば、ソフトウエアのバージョンアップ及びハードウエアの交換を行った電子機器の動作を確認したのちなど）入力検知部７において所定の操作を行うことによって、第１記憶媒体１と第２記憶媒体２の間で設定情報を移動させることができ、設定情報の誤りによるトラブルを回避することができる。
【００４２】
［第３実施形態］
つづいて、本発明の第３実施形態となる電子機器の構成について図５を参照しながら説明する。
【００４３】
本発明の第３実施形態となる電子機器は、図５に示すように、前述した第１実施形態における、電子機器の構成要素に加えて、同期抑制部８を備えている。同期抑制部８は、同期制御部５と接続され、設定情報の同期制御を抑制する。この同期抑制部８としては、たとえば、ディップスイッチやジャンパなどのスイッチが用いられる。すなわち、ユーザーは、同期抑制部８のオン・オフを切り替えることで設定情報の同期をとるかどうかを選択することが可能である。本実施形態では、同期抑制部８がオンの場合に設定情報の同期制御を抑制する。
【００４４】
つぎに、上記の電子機器における設定情報の同期処理について図６をもちいて説明する。
【００４５】
図６は、第３実施形態における、設定情報の同期処理の流れを示すフローチャートである。
【００４６】
設定情報の同期処理は、電子機器の電源がオフからオンに切り替えられたタイミングで開始となり、ステップＳ３０１に進む。
【００４７】
ステップＳ３０１では、同期制御部５が、ユーザーによって選択された読込元設定部６の状態を取得し、同期処理は、ステップＳ３０２に進む。
【００４８】
ステップＳ３０２では、同期制御部５が、取得した読込元設定部６の状態を判断し、読込元設定部６がオフの場合には、同期処理は、ステップＳ３０３に進み、読込元設定部６がオンの場合には、同期処理は、ステップＳ３０７に進む。
【００４９】
ステップＳ３０３では、読込部３が、同期制御部５の指示によって第１記憶媒体１から設定情報を読み込み、同期処理は、ステップＳ３０４に進む。
【００５０】
ステップＳ３０４では、同期制御部５が、ユーザーによって選択された同期抑制部８の状態を取得し、同期処理は、ステップＳ３０５に進む。
【００５１】
ステップＳ３０５では、同期制御部５が、取得した同期抑制部８の状態を判断し、同期抑制部８がオフの場合には、同期処理は、ステップＳ３０６に進み、同期抑制部８がオンの場合には、一連の同期処理は終了する。
【００５２】
ステップＳ３０６では、書込部４が、読込部３により読み込まれた設定情報を同期制御部５の指示によって第２記憶媒体２に書き込み、一連の同期処理は終了する。
【００５３】
一方、ステップＳ３０７では、読込部３が、同期制御部５の指示によって第２記憶媒体２から設定情報を読み込み、同期処理は、ステップＳ３０８に進む。
【００５４】
ステップＳ３０８では、同期制御部５が、ユーザーによって選択された同期抑制部８の状態を取得し、同期処理は、ステップＳ３０９に進む。
【００５５】
ステップＳ３０９では、同期制御部５が、取得した同期抑制部８の状態を判断し、同期抑制部８がオフの場合には、同期処理は、ステップＳ３１０に進み、同期抑制部８がオンの場合には、一連の同期処理は終了する。
【００５６】
ステップＳ３１０では、書込部４が、読込部３により読み込まれた設定情報を同期制御部５の指示によって第１記憶媒体１に書き込み、一連の同期処理は終了する。
【００５７】
本発明の第３実施形態によれば、前述した第１実施形態に加え、同期抑制部８が、同期制御部５による設定情報の同期制御を抑制するので、ユーザーは、同期抑制部８をオンにして、ソフトウエアのバージョンアップ及びハードウエアの交換を行った電子機器の動作を確認したのち、同期抑制部８をオフに切り替えて電子機器を再起動することによって、第１記憶媒体１と第２記憶媒体２の間で設定情報を移動させることができ、設定情報の誤りによるトラブルを回避することができる。
【００５８】
［第４実施形態］
つづいて、本発明の第４実施形態となる電子機器の構成について図７を参照しながら説明する。
【００５９】
本発明の第４実施形態となる電子機器は、図７に示すように、前述した第３実施形態における、電子機器の構成要素に加えて、条件記憶部９を備えている。条件記憶部９は、同期制御部５と接続され、同期制御の抑制を解除するための解除条件を記憶する。この解除条件は、たとえば、ユーザーからの入力や、所定時間の経過、同期抑制部８のＯＦＦなどである。
【００６０】
つぎに、上記の電子機器における設定情報の同期処理について図８をもちいて説明する。
【００６１】
図８は、第４実施形態における、設定情報の同期処理の流れを示すフローチャートである。
【００６２】
設定情報の同期処理は、電子機器の電源がオフからオンに切り替えられたタイミングで開始となり、ステップＳ４０１に進む。以後、同期処理は、各ステップに進むことになるが、第４実施形態における同期処理は、前述した第３実施形態における同期処理に加えて同期抑制部８がオンの場合の処理を設けたものであるので、以下、同期抑制部８がオンの場合、つまり、ステップＳ４１１以後の処理についてのみ説明する。なお、電子機器は、ステップ４０５及びステップ４０９の処理ののち、読込部３により読み込まれた設定情報に基づいて起動する。
【００６３】
ステップＳ４１１では、同期制御部５が、条件記憶部９から解除条件を読み込み、同期処理は、ステップＳ４１２に進む。
【００６４】
ステップＳ４１２では、同期制御部５が、読み込んだ解除条件を満たすかどうかを判断し、解除条件を満たしたタイミングでステップＳ４１３に同期処理が進む。ステップＳ４１３以後の処理は、前述した第１実施形態における同期処理と同様であるので説明を省略する。
【００６５】
なお、設定情報の同期処理は、上記の処理のほか、起動時に読み込んだ設定情報及び読込元を記憶しておき、この設定情報及び読込元に基づいて第１記憶媒体１又は第２記憶媒体２に設定情報を書き込むようにしてもよい。この場合には、図８における、ステップＳ４１４、ステップＳ４１５、及びステップＳ４１７の処理は省略される。
【００６６】
以上の説明から明らかなように、本発明の第４実施形態によれば、前述した第３実施形態に加え、同期制御部５が、条件記憶部９から解除条件を読み込み、読み込んだ解除条件を満たした場合に同期抑制部８による同期制御の抑制を解除するので、ユーザーは、電子機器を再起動することなく同期制御の抑制及びその解除を自動的に行うことができ、作業を簡略化することができる。
【００６７】
［第５実施形態］
つづいて、本発明の第５実施形態となる電子機器の構成について図９を参照しながら説明する。
【００６８】
本発明の第５実施形態となる電子機器は、図９に示すように、前述した第４実施形態における、電子機器の構成に加えて、領域設定部１０を備えている。
【００６９】
本実施形態の第１記憶媒体１は、電子機器に設定された設定情報を記憶するための２つの領域（第１領域及び第２領域）を有し、これらの領域に設定情報を分散して記憶する。たとえば、第１領域には、電子機器の動作に関する基本的な設定情報を記憶し、第２領域には、ログデータなどのそれほど重要でない設定情報を記憶するなどである。その他の事項は、前述した第４実施形態と同様であるので説明を省略する。なお、第１記憶媒体１は、２つ以上の領域を有していてもよい。
【００７０】
本実施形態の第２記憶媒体２は、電子機器に設定された設定情報を記憶するための２つの領域（第１領域及び第２領域）を有し、これらの領域に設定情報を分散して記憶する。たとえば、第１領域には、電子機器の動作に関する基本的な設定情報を記憶し、第２領域には、ログデータなどのそれほど重要でない設定情報を記憶するなどである。その他の事項は、前述した第４実施形態と同様であるので説明を省略する。なお、第２記憶媒体２は、２つ以上の領域を有していてもよい。
【００７１】
本実施形態の条件記憶部９は、同期制御の抑制を解除するための複数の条件からなる解除条件を記憶する。この解除条件（複数条件）は、領域の選択及びその他（たとえば、ユーザーからの入力や、所定時間の経過、同期抑制部８のＯＦＦなど）である。その他の事項は、前述した第４実施形態と同様であるので説明を省略する。
【００７２】
領域設定部１０は、同期制御部５と接続され、第１記憶媒体１及び第２記憶媒体２の同期領域として第１領域又は第２領域のどちらか一方を設定する。この領域設定部１０としては、たとえば、ディップスイッチやジャンパなどのスイッチが用いられる。すなわち、ユーザーは、領域設定部１０のオン・オフを切り替えることで第１記憶媒体１及び第２記憶媒体２の同期領域を選択することが可能である。本実施形態では、領域設定部１０がオフの場合に、第１記憶媒体１及び第２記憶媒体２の同期領域として全領域が設定され、読込元設定部６がオンの場合に、第１記憶媒体１及び第２記憶媒体２の同期領域として第１領域が設定される。
【００７３】
つぎに、上記の電子機器における設定情報の同期処理について図１０をもちいて説明する。
【００７４】
図１０は、第５実施形態における、設定情報の同期処理の流れを示すフローチャートである。
【００７５】
設定情報の同期処理は、電子機器の電源がオフからオンに切り替えられたタイミングで開始となり、ステップＳ５０１に進む。以後、同期処理は、各ステップに進むことになるが、第５実施形態における同期処理は、前述した第３実施形態における同期処理に加えて同期抑制部８がオンの場合の処理を設けたものであるので、以下、同期抑制部８がオンの場合、つまり、ステップＳ５１１以後の処理についてのみ説明する。なお、電子機器は、ステップ５０５及びステップ５０９の処理ののち、読込部３により読み込まれた設定情報に基づいて起動する。
【００７６】
ステップＳ５１１では、同期制御部５が、条件記憶部９から解除条件を読み込み、同期処理は、ステップＳ５１２に進む。
【００７７】
ステップＳ５１２では、同期制御部５が、読み込んだ解除条件を満たすかどうかを判断し、解除条件を満たしたタイミングでステップＳ５１３に同期処理が進む。
【００７８】
ステップＳ５１３では、同期制御部５が、ユーザーによって選択された読込元設定部６の状態を取得し、同期処理は、ステップＳ５１４に進む。
【００７９】
ステップＳ５１４では、同期制御部５が、取得した読込元設定部６の状態を判断し、読込元設定部６がオフの場合には、同期処理は、ステップＳ５１５に進み、読込元設定部６がオンの場合には、同期処理は、ステップＳ５２１に進む。
【００８０】
ステップＳ５１５では、同期制御部５が、ユーザーによって選択された領域設定部１０の状態を取得し、同期処理は、ステップＳ５１６に進む。
【００８１】
ステップＳ５１６では、同期制御部５が、取得した領域設定部１０の状態を判断し、領域設定部１０がオフの場合には、同期処理は、ステップＳ５１７に進み、領域設定部１０がオンの場合には、同期処理は、ステップＳ５１９に進む。
【００８２】
ステップＳ５１７では、読込部３が、同期制御部５の指示によって第１記憶媒体１から設定情報を読み込み、同期処理は、ステップＳ５１８に進む。
【００８３】
ステップＳ５１８では、書込部４が、読込部３により読み込まれた設定情報を同期制御部５の指示によって第２記憶媒体２に書き込み、一連の同期処理は終了する。
【００８４】
一方、ステップＳ５１９では、読込部３が、同期制御部５の指示によって第１記憶媒体１の第１領域から設定情報を読み込み、同期処理は、ステップＳ５２０に進む。
【００８５】
ステップＳ５２０では、書込部４が、読込部３により読み込まれた設定情報を同期制御部５の指示によって第２記憶媒体２の第１領域に書き込み、一連の同期処理は終了する。
【００８６】
他方、ステップＳ５２１では、同期制御部５が、ユーザーによって選択された領域設定部１０の状態を取得し、同期処理は、ステップＳ５２２に進む。
【００８７】
ステップＳ５２２では、同期制御部５が、取得した領域設定部１０の状態を判断し、領域設定部１０がオフの場合には、同期処理は、ステップＳ５２３に進み、領域設定部１０がオンの場合には、同期処理は、ステップＳ５２５に進む。
【００８８】
ステップＳ５２３では、読込部３が、同期制御部５の指示によって第２記憶媒体２から設定情報を読み込み、同期処理は、ステップＳ５２４に進む。
【００８９】
ステップＳ５２４では、書込部４が、読込部３により読み込まれた設定情報を同期制御部５の指示によって第１記憶媒体１に書き込み、一連の同期処理は終了する。
【００９０】
一方、ステップＳ５２５では、読込部３が、同期制御部５の指示によって第２記憶媒体２の第１領域から設定情報を読み込み、同期処理は、ステップＳ５２６に進む。
【００９１】
ステップＳ５２６では、書込部４が、読込部３により読み込まれた設定情報を同期制御部５の指示によって第１記憶媒体１の第１領域に書き込み、一連の同期処理は終了する。
【００９２】
以上の説明から明らかなように、本発明の第５実施形態によれば、前述した第４実施形態に加え、同期制御部５が、条件記憶部９から解除条件（複数条件）を読み込み、読み込んだ解除条件（複数条件）を満たした場合に同期制御の抑制を解除するので、ユーザーは、複数の条件を組み合わせることによって、複雑な同期制御を電子機器にさせることができ、複数のチェックポイントで電子機器の動作を確認することができる。
【００９３】
以上、本発明者によってなされた発明を適用した各実施形態について説明したが、これらの実施形態による開示の一部をなす論述及び図面により本発明が限定されることはない。すなわち、これらの実施形態に基づいて当業者によってなされる、ほかの実施形態、実施例、及び運用技術などは、本発明の範囲にすべて含まれることをつけ加えておく。
【図面の簡単な説明】
【００９４】
【図１】本発明の第１実施形態となる電子機器の構成を示すブロック図である。
【図２】本発明の第１実施形態における、設定情報の同期処理の流れを示すフローチャートである。
【図３】本発明の第２実施形態となる電子機器の構成を示すブロック図である。
【図４】本発明の第２実施形態における、設定情報の同期処理の流れを示すフローチャートである。
【図５】本発明の第３実施形態となる電子機器の構成を示すブロック図である。
【図６】本発明の第３実施形態における、設定情報の同期処理の流れを示すフローチャートである。
【図７】本発明の第４実施形態となる電子機器の構成を示すブロック図である。
【図８】本発明の第４実施形態における、設定情報の同期処理の流れを示すフローチャートである。
【図９】本発明の第５実施形態となる電子機器の構成を示すブロック図である。
【図１０】本発明の第５実施形態における、設定情報の同期処理の流れを示すフローチャートである。
【符号の説明】
【００９５】
１  第１記憶媒体
２  第２記憶媒体
３  読込部
４  書込部
５  同期制御部
６  読込元設定部
７  入力検知部
８  同期抑制部
９  条件記憶部
１０  領域設定部
【図１】
2009129314.tif 000003
【図２】
2009129314.tif 000004
【図３】
2009129314.tif 000005
【図４】
2009129314.tif 000006
【図５】
2009129314.tif 000007
【図６】
2009129314.tif 000008
【図７】
2009129314.tif 000009
【図８】
2009129314.tif 000010
【図９】
2009129314.tif 000011
【図１０】
2009129314.tif 000012